【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
記録媒体に記録された情報を再生する情報再生手段を備えた再生装置において、
１または複数のプリセット手段と、
前記プリセット手段に対応した記憶領域を有する記憶手段と、
前記プリセット手段の予め定める操作に応じて、プリセット手段に対応する記憶領域への再生中または選択中の前記情報に関する項目の記憶、または操作されたプリセット手段に対応する記憶領域に記憶された前記情報に関する項目を読み出し、読み出した項目に対応する情報を前記情報再生手段により再生する制御手段とを備えることを特徴とする再生装置。
【請求項２】
記録媒体に記録された情報を再生する情報再生手段を備えた再生装置において、
音声認識手段と、
前記情報に関する項目を記憶する記憶領域を有した記憶手段と、
前記音声認識手段の予め定める音声認識結果に応じて、前記記憶領域への再生中または選択中の前記情報に関する項目の記憶、または前記記憶領域に記憶された前記情報に関する項目を読み出し、読み出した前記項目に対応する情報を前記情報再生手段により再生する制御手段とを備えることを特徴とする再生装置。
【請求項３】
請求項１または２に記載の再生装置において、
前記情報に関する項目は、再生位置、音楽のテキスト情報、フォルダ情報、ファイル情報、タグ情報、アルバム情報、アーティスト情報、ジャンル情報、作詞者情報、作曲者情報、西暦情報及び圧縮動画のファイル情報のいずれかであることを特徴とする再生装置。
【請求項４】
音声を再生する音声再生手段を備えた再生装置において、
１または複数のプリセット手段と、
前記プリセット手段に対応した記憶領域を有する記憶手段と、
前記プリセット手段の予め定める操作に応じて、プリセット手段に対応する記憶領域への音声の記憶、または操作されたプリセット手段に対応する記憶領域に記憶された音声を読み出し、読み出した音声を前記音声再生手段により再生する制御手段とを備えることを特徴とする再生装置。
【請求項５】
音声を再生する音声再生手段を備えた再生装置において、
音声認識手段と、
音声を記憶する記憶領域を有する記憶手段と、
前記音声認識手段の予め定める音声認識結果に応じて、前記記憶領域への音声の記憶または前記記憶領域に記憶された音声を読み出し、読み出した音声を前記音声再生手段により再生する制御手段とを備えることを特徴とする再生装置。
【請求項６】
通信網を介してネットワークに接続可能な再生装置において、
１または複数のプリセット手段と、
前記プリセット手段に対応した記憶領域を有する記憶手段と、
前記プリセット手段の予め定める操作に応じて、プリセット手段に対応する記憶領域への接続中または選択中のインターネットアドレスの記憶、または操作されたプリセット手段に対応する記憶領域に記憶されたインターネットアドレスを読み出し、読み出したインターネットアドレスに通信網を介して接続する制御手段とを備えることを特徴とする再生装置。
【請求項７】
通信網を介してネットワークに接続可能な再生装置において、
音声認識手段と、
インターネットアドレスを記憶する記憶領域を有する記憶手段と、
前記音声認識手段の予め定める音声認識結果に応じて、前記記憶領域への接続中または選択中のインターネットアドレスの記憶、または前記記憶領域に記憶されたインターネットアドレスを読み出し、読み出したインターネットアドレスに通信網を介して接続する制御手段とを備えることを特徴とする再生装置。
【請求項８】
前記プリセット手段は、操作釦であることを特徴とする請求項１、４、６の何れかに記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００１
【補正方法】変更
【補正の内容】
【０００１】
本発明は、音楽再生装置、圧縮動画再生装置等の再生装置、特に、記憶装置また記録媒体に記憶されている多数の情報の中から所望の情報を直ちに読み出すことができる再生装置に関する。
【手続補正４】
【補正対象書類名】明細書
【補正対象項目名】０００７
【補正方法】変更
【補正の内容】
【０００７】
本発明は、上記の問題に鑑みてなされたもので、所望の情報に電子タグのような目印をつけて記録し、任意のときに所望の情報を直ちに読み出すことができる再生装置を提供することを目的とする。
【手続補正５】
【補正対象書類名】明細書
【補正対象項目名】０００８
【補正方法】変更
【補正の内容】
【０００８】
上述の目的を達成するため、本発明に係る再生装置（１）は、
記録媒体に記録された情報を再生する情報再生手段を備えた再生装置において、
１または複数のプリセット手段と、
前記プリセット手段に対応した記憶領域を有する記憶手段と、
前記プリセット手段の予め定める操作に応じて、プリセット手段に対応する記憶領域への再生中または選択中の前記情報に関する項目の記憶、または操作されたプリセット手段に対応する記憶領域に記憶された前記情報に関する項目を読み出し、読み出した項目に対応する情報を前記情報再生手段により再生する制御手段とを備えることを特徴とする。
なお、プリセット手段とは、例えば、メカ的な操作釦やタッチパネル上のアイコン等であり、また、プリセット手段に対応した記憶領域は、固定された領域でも、可変領域（例えば、プリセット手段の識別データと関連するデータが関連づけて記憶され、結果としてプリセット手段と関連づけられたデータが読み出せるように記憶された形式）でも構わない。
【手続補正６】
【補正対象書類名】明細書
【補正対象項目名】０００９
【補正方法】変更
【補正の内容】
【０００９】
また、本発明に係る再生装置（２）は、
記録媒体に記録された情報を再生する情報再生手段を備えた再生装置において、
音声認識手段と、
前記情報に関する項目を記憶する記憶領域を有した記憶手段と、
前記音声認識手段の予め定める音声認識結果に応じて、前記記憶領域への再生中または選択中の前記情報に関する項目の記憶、または前記記憶領域に記憶された前記情報に関する項目を読み出し、読み出した前記項目に対応する情報を前記情報再生手段により再生する制御手段とを備えることを特徴とする。
【手続補正７】
【補正対象書類名】明細書
【補正対象項目名】００１０
【補正方法】変更
【補正の内容】
【００１０】
さらに、本発明に係る再生装置（３）は、再生装置（１）または（２）において、
前記情報に関する項目は、再生位置、音楽のテキスト情報、フォルダ情報、ファイル情報、タグ情報、アルバム情報、アーティスト情報、ジャンル情報、作詞者情報、作曲者情報、西暦情報及び圧縮動画のファイル情報のいずれかであることを特徴とする。
【手続補正８】
【補正対象書類名】明細書
【補正対象項目名】００１１
【補正方法】変更
【補正の内容】
【００１１】
また、本発明に係る再生装置（４）は、
音声を再生する音声再生手段を備えた再生装置において、
１または複数のプリセット手段と、
前記プリセット手段に対応した記憶領域を有する記憶手段と、
前記プリセット手段の予め定める操作に応じて、プリセット手段に対応する記憶領域への音声の記憶、または操作されたプリセット手段に対応する記憶領域に記憶された音声を読み出し、読み出した音声を前記音声再生手段により再生する制御手段とを備えることを特徴とする。
【手続補正９】
【補正対象書類名】明細書
【補正対象項目名】００１２
【補正方法】変更
【補正の内容】
【００１２】
また、本発明に係る再生装置（５）は、
音声を再生する音声再生手段を備えた再生装置において、
音声認識手段と、
音声を記憶する記憶領域を有する記憶手段と、
前記音声認識手段の予め定める音声認識結果に応じて、前記記憶領域への音声の記憶または前記記憶領域に記憶された音声を読み出し、読み出した音声を前記音声再生手段により再生する制御手段とを備えることを特徴とする。
【手続補正１０】
【補正対象書類名】明細書
【補正対象項目名】００１３
【補正方法】変更
【補正の内容】
【００１３】
また、本発明に係る再生装置（６）は、
通信網を介してネットワークに接続可能な再生装置において、
１または複数のプリセット手段と、
前記プリセット手段に対応した記憶領域を有する記憶手段と、
前記プリセット手段の予め定める操作に応じて、プリセット手段に対応する記憶領域への接続中または選択中のインターネットアドレスの記憶、または操作されたプリセット手段に対応する記憶領域に記憶されたインターネットアドレスを読み出し、読み出したインターネットアドレスに通信網を介して接続する制御手段とを備えることを特徴とする。
【手続補正１１】
【補正対象書類名】明細書
【補正対象項目名】００１４
【補正方法】変更
【補正の内容】
【００１４】
また、本発明に係る再生装置（７）は、
通信網を介してネットワークに接続可能な再生装置において、
音声認識手段と、
インターネットアドレスを記憶する記憶領域を有する記憶手段と、
前記音声認識手段の予め定める音声認識結果に応じて、前記記憶領域への接続中または選択中のインターネットアドレスの記憶、または前記記憶領域に記憶されたインターネットアドレスを読み出し、読み出したインターネットアドレスに通信網を介して接続する制御手段とを備えることを特徴とする。
【手続補正１２】
【補正対象書類名】明細書
【補正対象項目名】００１５
【補正方法】変更
【補正の内容】
【００１５】
さらに、本発明に係る再生装置（８）は、再生装置（１）、（４）、（６）の何れかにおいて、  前記プリセット手段は、操作釦であることを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】変更
【補正の内容】
【００２８】
本発明に係る再生装置（１）〜（３）によれば、多数の情報が記憶されている場合に、再生中または選択中の情報に関する項目をプリセット手段、例えば操作釦に対応した記憶領域等に記憶することができるので、その情報を再生したい場合、対応するプリセット手段の予め定めた操作または音声認識の利用によりその情報に関する項目を呼び出してその情報を再生することができる。
また、本発明に係る再生装置（３）で、項目として所望の再生位置を記憶領域に記録する場合、所望の再生位置から容易に再生することができる。
【手続補正２６】
【補正対象書類名】明細書
【補正対象項目名】００３０
【補正方法】変更
【補正の内容】
【００３０】
また、本発明に係る再生装置（４）、（５）によれば、プリセット手段の予め定めた操作または音声認識の利用により音声録音、音声再生を行うことができるので、操作釦の数を少なくすることができるとともに、簡単な操作で音声の録音、再生を行うことが可能となる。また、多くの音声情報が記録されている場合にも、所望の音声情報を容易に選択して再生することができる。
【手続補正２７】
【補正対象書類名】明細書
【補正対象項目名】００３１
【補正方法】変更
【補正の内容】
【００３１】
さらに、本発明に係る再生装置（６）、（７）によれば、プリセット手段の予め定める操作または音声認識手段の予め定める音声認識結果に応じて記憶領域への接続中または選択中のインターネットアドレスの記憶、または記憶領域に記憶されたインターネットアドレスを読み出し、読み出したインターネットアドレスに通信網を介して接続することができるので、インターネットの所望のアドレスに直ちに接続することが可能となる。